(57)【要約】  配電管理装置（１０）は、配電系統の設備が互いに電気的に接続する接続点の組合せと、接続点の組合せによって定まる設備とが対応付けられた電気接続情報を参照して、所定の接続点を起点とし、組合せに含まれる接続点のうち未探索の接続点を探索しながら当該組合せに対応する設備を検索する。さらに、配電管理装置（１０）は、配電系統の表示における画面の縮尺を取得する。さらに、配電管理装置（１０）は、縮尺が所定の度合い以下である場合には、検索の結果として得られた設備のうち所定の設備よりも変電所寄りの接続点を持つ設備を表示させる。また、配電管理装置（１０）は、縮尺が所定の度合いよりも大きい場合には、検索の結果として得られた設備を表示させる。
2014054109.tif 000002
【特許請求の範囲】
【請求項１】
配電系統の設備が互いに電気的に接続する接続点の組合せと、前記接続点の組合せによって定まる設備とが対応付けられた電気接続情報を記憶する電気接続記憶部と、
前記電気接続情報を参照して、所定の接続点を起点とし、前記組合せに含まれる接続点のうち未探索の接続点を探索しながら当該組合せに対応する設備を検索する検索部と、
前記配電系統の表示における画面の縮尺を取得する取得部と、
前記縮尺が所定の度合い以下である場合には、前記検索の結果として得られた設備のうち所定の設備よりも変電所寄りの接続点を持つ設備を表示させ、前記縮尺が所定の度合いよりも大きい場合には、前記検索の結果として得られた設備を表示させる表示制御部と
を有することを特徴とする配電管理装置。
【請求項２】
前記表示制御部は、前記変電所寄りの接続点を持つ設備の表示中にいずれかの設備の指定を受け付けた場合に、当該設備が属する配電系統の設備の表示態様を他の配電系統の設備とは異なる表示態様に変更することを特徴とする請求項１に記載の配電管理装置。
【請求項３】
前記表示制御部は、前記検索の結果として得られた設備の表示中に所定の設備より需要家寄りの接続点を持つ設備の指定を受け付けた場合に、当該需要家寄りの接続点を持つ設備の表示態様を他の設備とは異なる表示態様に変更することを特徴とする請求項１に記載の配電管理装置。
【請求項４】
前記配電系統の設備と前記設備の位置とが対応付けられた位置情報を記憶する位置記憶部をさらに有し、
前記表示制御部は、前記位置情報を参照して、前記変電所寄りの接続点を持つ設備または前記検索の結果として得られた設備を表示させることを特徴とする請求項１に記載の配電管理装置。
【請求項５】
コンピュータが、
配電系統の設備が互いに電気的に接続する接続点の組合せと、前記接続点の組合せによって定まる設備とが対応付けられた電気接続情報を参照して、所定の接続点を起点とし、前記組合せに含まれる接続点のうち未探索の接続点を探索しながら当該組合せに対応する設備を検索し、
前記配電系統の表示における画面の縮尺を取得し、
前記縮尺が所定の度合い以下である場合には、前記検索の結果として得られた設備のうち所定の設備よりも変電所寄りの接続点を持つ設備を表示させ、前記縮尺が所定の度合いよりも大きい場合には、前記検索の結果として得られた設備を表示させる
処理を実行することを特徴とする表示制御方法。
【請求項６】
前記変電所寄りの接続点を持つ設備を表示させる処理として、
前記変電所寄りの接続点を持つ設備の表示中にいずれかの設備の指定を受け付けた場合に、当該設備が属する配電系統の設備の表示態様を他の配電系統の設備とは異なる表示態様に変更する処理を実行することを特徴とする請求項５に記載の表示制御方法。
【請求項７】
前記検索の結果として得られた設備を表示させる処理として、
前記検索の結果として得られた設備の表示中に所定の設備より需要家寄りの接続点を持つ設備の指定を受け付けた場合に、当該需要家寄りの接続点を持つ設備の表示態様を他の設備とは異なる表示態様に変更する処理を実行することを特徴とする請求項５に記載の表示制御方法。
【請求項８】
前記設備を表示させる処理として、
前記配電系統の設備と前記設備の位置とが対応付けられた位置情報を参照して、前記変電所寄りの接続点を持つ設備または前記検索の結果として得られた設備を表示させる処理を実行することを特徴とする請求項５に記載の表示制御方法。
【請求項９】
コンピュータに、
配電系統の設備が互いに電気的に接続する接続点の組合せと、前記接続点の組合せによって定まる設備とが対応付けられた電気接続情報を参照して、所定の接続点を起点とし、前記組合せに含まれる接続点のうち未探索の接続点を探索しながら当該組合せに対応する設備を検索し、
前記配電系統の表示における画面の縮尺を取得し、
前記縮尺が所定の度合い以下である場合には、前記検索の結果として得られた設備のうち所定の設備よりも変電所寄りの接続点を持つ設備を表示させ、前記縮尺が所定の度合いよりも大きい場合には、前記検索の結果として得られた設備を表示させる
処理を実行させることを特徴とする表示制御プログラム。
【請求項１０】
前記変電所寄りの接続点を持つ設備を表示させる処理として、
前記変電所寄りの接続点を持つ設備の表示中にいずれかの設備の指定を受け付けた場合に、当該設備が属する配電系統の設備の表示態様を他の配電系統の設備とは異なる表示態様に変更する処理を実行させることを特徴とする請求項９に記載の表示制御プログラム。
【請求項１１】
前記検索の結果として得られた設備を表示させる処理として、
前記検索の結果として得られた設備の表示中に所定の設備より需要家寄りの接続点を持つ設備の指定を受け付けた場合に、当該需要家寄りの接続点を持つ設備の表示態様を他の設備とは異なる表示態様に変更する処理を実行させることを特徴とする請求項９に記載の表示制御プログラム。
【請求項１２】
前記設備を表示させる処理として、
前記配電系統の設備と前記設備の位置とが対応付けられた位置情報を参照して、前記変電所寄りの接続点を持つ設備または前記検索の結果として得られた設備を表示させる処理を実行させることを特徴とする請求項９に記載の表示制御プログラム。
【発明の詳細な説明】
【技術分野】
【０００１】
本発明は、配電管理装置、表示制御方法及び表示制御プログラムに関する。
【背景技術】
【０００２】
配電系統には、高圧電力の配電に用いられる高圧線と、低圧電力の配電に用いられる低圧線とが含まれる。これら高圧線及び低圧線には、標準電圧と、標準電圧からの逸脱が許容される許容範囲とが定められている。このため、変電所から負荷設備までの配電系統を高圧線や開閉器などの設備が含まれる高圧系統と低圧線や引込線などの設備が含まれる低圧系統に分けて電圧降下の計算が実行される。その上で、電圧降下が起こる前後の電圧が高圧系統および低圧系統で許容範囲に収まるように、変電所から配電される電力の電圧を設定したり、高圧系統に配置された開閉器の切り替えによって配電系統を流れる電力の電圧が調整される。
【先行技術文献】
【特許文献】
【０００３】
【特許文献１】特開平１０−７０８４０号公報
【特許文献２】特開２００４−３２９８３号公報
【発明の概要】
【発明が解決しようとする課題】
【０００４】
ところで、太陽光発電等の分散型電源の普及に伴って需要家に分散型電源が設置される場合がある。この場合には、需要家に設置された分散型電源から電気事業者の配電系統へ逆潮流が発生する場合がある。このように、変電所および負荷設備の間で電力が双方向へ流れる場合には、例えば、逆潮流によって低圧系統に含まれる各設備での電力の変動が大きくなることも想定される。【０００５】
しかしながら、上記の従来技術では、配電系統の電気的な繋がりを高圧系統および低圧系統という大雑把な単位でしか把握できないという問題がある。それ故、上記の従来技術では、高圧系統および低圧系統よりも細かい単位で許容範囲を超える電圧の電力が流れる場合にその異常事態が看過されてしまうおそれがある。【０００６】
１つの側面では、配電系統の電気的な繋がりを設備単位で把握できる配電管理装置、表示制御方法及び表示制御プログラムを提供することを目的とする。
【課題を解決するための手段】
【０００７】
一態様の配電管理装置は、配電系統の設備が互いに電気的に接続する接続点の組合せと、前記接続点の組合せによって定まる設備とが対応付けられた電気接続情報を記憶する電気接続記憶部を有する。さらに、前記配電管理装置は、前記電気接続情報を参照して、所定の接続点を起点とし、前記組合せに含まれる接続点のうち未探索の接続点を探索しながら当該組合せに対応する設備を検索する検索部を有する。さらに、前記配電管理装置は、前記配電系統の表示における画面の縮尺を取得する取得部を有する。さらに、前記配電管理装置は、前記縮尺が所定の度合い以下である場合には、前記検索の結果として得られた設備のうち所定の設備よりも変電所寄りの接続点を持つ設備を表示させ、前記縮尺が所定の度合いよりも大きい場合には、前記検索の結果として得られた設備を表示させる表示制御部を有する。
【発明の効果】
【０００８】
一実施形態によれば、配電系統の電気的な繋がりを設備単位で把握できる。
【図面の簡単な説明】
【０００９】
【図１】図１は、実施例１に係る配電管理装置の機能的構成を示すブロック図である。
【図２】図２は、エンティティの一態様を示す図である。
【図３】図３は、エンティティの相互関係の一例を示す図である。
【図４】図４は、ロケーションテーブルの一例を示す図である。
【図５】図５は、ユニットテーブルの一例を示す図である。
【図６】図６は、スパンテーブルの一例を示す図である。
【図７】図７は、ノードテーブルの一例を示す図である。
【図８】図８は、ブランチテーブルの一例を示す図である。
【図９】図９は、カレントノードテーブルの一例を示す図である。
【図１０】図１０は、カレントブランチテーブルの一例を示す図である。
【図１１】図１１は、表示用データの一例を示す図（１）である。
【図１２】図１２は、表示用データの一例を示す図（２）である。
【図１３】図１３は、表示設定の受付画面の一例を示す図である。
【図１４】図１４は、表示設定の受付画面の一例を示す図である。
【図１５】図１５は、配電系統画面の一例を示す図である。
【図１６】図１６は、配電系統画面の一例を示す図である。
【図１７】図１７は、配電系統画面の一例を示す図である。
【図１８】図１８は、配電系統画面の一例を示す図である。
【図１９】図１９は、配電系統画面の一例を示す図である。
【図２０】図２０は、グラフ構造の表示データの一例を示す図である。
【図２１】図２１は、実施例１に係る配電管理処理の手順を示すフローチャート（１）である。
【図２２】図２２は、実施例１に係る配電管理処理の手順を示すフローチャート（２）である。
【図２３】図２３は、実施例１に係る配電管理処理の手順を示すフローチャート（３）である。
【図２４】図２４は、実施例１に係る配電系統画面の表示制御処理の手順を示すフローチャートである。
【図２５】図２５は、実施例１に係る縮尺変更処理の手順を示すフローチャートである。
【図２６】図２６は、実施例１に係る第１の表示変更処理の手順を示すフローチャートである。
【図２７】図２７は、実施例１に係る第２の表示変更処理の手順を示すフローチャートである。
【図２８】図２８は、実施例１及び実施例２に係る表示制御プログラムを実行するコンピュータの一例について説明するための図である。
【図２９】図２９は、カレントノードテーブルの一例を示す図である。
【図３０】図３０は、カレントブランチテーブルの一例を示す図である。
【発明を実施するための形態】
【００１０】
以下に添付図面を参照して本願に係る配電管理装置、表示制御方法及び表示制御プログラムについて説明する。なお、この実施例は開示の技術を限定するものではない。そして、各実施例は、処理内容を矛盾させない範囲で適宜組み合わせることが可能である。
【実施例１】
【００１１】
［配電管理装置の構成］
図１は、実施例１に係る配電管理装置の機能的構成を示すブロック図である。図１に示す配電管理装置１０は、電気事業者の変電所および需要家の負荷設備の間の配電系統で互いが電気的に接続された設備の配電系統情報を生成した上でクライアント端末３０へ表示させる表示制御処理を実行するものである。【００１２】
かかる配電管理装置１０の一態様としては、上記の表示制御処理を実行するＷｅｂサーバとして実装することとしてもよいし、また、上記の表示制御処理に関するサービスをアウトソーシングにより提供するクラウドとして実装することもできる。他の一態様としては、パッケージソフトウェアやオンラインソフトウェアとして提供される表示制御プログラムを所望のコンピュータにプリインストール又はインストールさせることによっても実装できる。【００１３】
図１に示すように、配電管理装置１０は、所定のネットワークを介して、クライアント端末３０などの他の装置との間で通信可能に接続される。かかるネットワークには、有線または無線を問わず、インターネット（Internet）、ＬＡＮ（Local  Area  Network）やＶＰＮ（Virtual  Private  Network）などの任意の種類の通信網を採用できる。なお、配電管理装置１０は、上記のクライアント端末３０を任意の台数収容することができる。【００１４】
このうち、クライアント端末３０は、上記の表示制御サービスの提供を受ける側の端末装置である。かかるクライアント端末３０の一例としては、パーソナルコンピュータ（ＰＣ：personal  computer）を始めとする固定端末の他、携帯電話機、ＰＨＳ（Personal  Handyphone  System）やＰＤＡ（Personal  Digital  Assistant）などの移動体端末も採用できる。なお、クライアント端末３０は、電気事業者の所属員、例えば配電部門の担当者や管理者等によって利用される。【００１５】
図１に示すように、配電管理装置１０は、通信Ｉ／Ｆ（interface）部１１と、記憶部１３と、制御部１９とを有する。なお、配電管理装置１０は、図１に示した機能部以外にも既知のコンピュータが有する各種の機能部、例えば各種の入出力デバイスや撮像デバイスなどの機能部を有することとしてもかまわない。【００１６】
通信Ｉ／Ｆ部１１は、他の装置、例えばクライアント端末３０との間で通信制御を行うインタフェースである。かかる通信Ｉ／Ｆ部１１の一態様としては、ＬＡＮカードなどのネットワークインタフェースカードを採用できる。例えば、通信Ｉ／Ｆ部１１は、クライアント端末３０から配電系統画面の閲覧要求を受信したり、あるいは配電管理装置１０から配電系統画面の表示データをクライアント端末３０へ通知したりする。【００１７】
記憶部１３は、制御部１９で実行されるＯＳ（Operating  System）や表示制御プログラムなどの各種プログラムを記憶する記憶デバイスである。記憶部１３の一態様としては、フラッシュメモリなどの半導体メモリ素子、ハードディスク、光ディスクなどの記憶装置が挙げられる。なお、記憶部１３は、上記の種類の記憶装置に限定されるものではなく、ＲＡＭ（Random  Access  Memory)、ＲＯＭ（Read  Only  Memory)であってもよい。【００１８】
記憶部１３は、制御部１９で実行されるプログラムに用いられるデータの一例として、位置情報１４と、設備情報１５と、電気接続情報１６と、配電系統情報１７と、表示設定情報１８とを記憶する。なお、上記に例示した情報以外にも、他の電子データ、例えば電気事業者が管轄する管轄区域の全部または一部が収まった地図の電子データなども併せて記憶することもできる。【００１９】
ここで、本実施例に係る配電管理装置１０では、設備が設置される位置を管理する位置の管理と、各々の設備を管理する設備の管理と、互いが電気的に接続される設備を管理する電気接続の管理との３つに分けて配電系統が管理される。【００２０】
このうち、位置の管理には、配電系統を形成する設備のうち所定の設備、例えば変電所、電柱、変圧器などが設置される位置「ロケーション（location）」がエンティティとして用いられる。また、設備の管理には、配電系統を形成する設備のうち１つの位置に紐付く設備「ユニット（unit）」と、２つの位置に紐付く設備「スパン（span）」とがエンティティとして用いられる。また、電気接続の管理には、互いの設備が電気的に接続される接続点「ノード（node）」と、複数の接続点によって定まる設備「ブランチ（branch）」とがエンティティとして用いられる。【００２１】
図２は、エンティティの一態様を示す図である。図２に示すように、ロケーションの一例としては、例えば、電柱Ｐや柱上変圧器ＴＲなどのように設置形態が架設ではない非架設の設備が設置される位置が挙げられる。この他、図示されていない配電用変電所（ＳＳ：SubStation）が設置される位置や変圧器が設置される位置もロケーションの範疇に含まれる。【００２２】
ユニットの一例としては、電柱Ｐ、開閉器ＳＷ、柱上変圧器ＴＲなどが挙げられる。この他、図示されていない配電用変電所、ＳＶＲ（Step  Voltage  Regulator）や各種の計器、例えばスマートメータなどもユニットの範疇に含まれる。なお、ここでは、地上に設置される設備を例示したが、地下に設置される設備、例えばマンホールやハンドホールなどもユニットの範疇に含まれる。【００２３】
スパンの一例としては、配電用変電所および柱上変圧器ＴＲの間で高圧電力が配電される高圧系統に敷設される電線ＷＨ、いわゆる「高圧線」が挙げられる。スパンの他の一例としては、柱上変圧器ＴＲおよび需要家の負荷設備の間で低圧電力が配電される低圧系統のうち柱上変圧器ＴＲ及び引込線の区間に敷設される電線ＷＬ、いわゆる「低圧線」の他、引込線および負荷設備の区間に敷設される電線、いわゆる「引込線」などが挙げられる。スパンの更なる一例としては、地中に埋め込まれたケーブルが挙げられる。なお、高圧線ＷＨ及び低圧線ＷＬなどの電線Ｗについては、電柱Ｐに架設される単位の本数、例えば３本や２本を１つにまとめてスパンとして扱うことができる。【００２４】
ノードの一例としては、図２中の拡大図２１に示す高圧線ＷＨと開閉器ＳＷとの接続点、高圧線ＷＨと柱上変圧器ＴＲとの接続点、柱上変圧器ＴＲと低圧線ＷＬとの接続点が挙げられる。この他、図２中の拡大図２２に示す高圧線ＷＨ２１ａと高圧線ＷＨ２１ｂとが接続される点もノードの範疇に含まれる。具体的には、高圧線ＷＨ２１ａ及び高圧線ＷＨ２１ｂが通り装柱の電柱Ｐに架設されている場合にも、高圧線ＷＨ２１ａ及び高圧線ＷＨ２１ｂ間が電気的に接続されているものとみなし、高圧線ＷＨ同士が接続される点を仮想的なノードとして扱われる。【００２５】
ブランチの一例としては、図２に示す電柱Ｐ、高圧線ＷＨ、開閉器ＳＷ、柱上変圧器ＴＲ、低圧線ＷＬなどの各種の設備が挙げられる。この他、図示されていない配電用変電所、引込線、スマートメータや負荷設備などもブランチの範疇に含まれる。これら配電用変電所や負荷設備などの端点に位置する設備は、１つしかノードを持たない場合がある。【００２６】
これらロケーション、ユニット、スパン、ノード及びブランチなどのエンティティは、図３に示す関連性を有する。図３は、エンティティの相互関係の一例を示す図である。図３に示すように、ユニット及びスパンは、ロケーションとの間で互いに共通して位置が管理される点が関連する。また、ユニットおよびスパンは、ブランチとの間で互いに共通して設備が管理される点が関連する。さらに、ノードは、ロケーション及びブランチとの間で互いに共通して接続点が管理される点が関連する。【００２７】
図１の説明に戻り、位置情報１４には、上記のロケーションを管理するロケーションテーブル１４ａが含まれる。また、設備情報１５には、上記のユニットを管理するユニットテーブル１５ａと、上記のスパンを管理するスパンテーブル１５ｂとが含まれる。さらに、電気接続情報１６には、上記のノードを管理するノードテーブル１６ａと、上記のブランチを管理するブランチテーブル１６ｂとが含まれる。また、後述するように、配電系統情報１７には、カレントノードテーブル１７ａと、カレントブランチテーブル１７ｂとが含まれる。【００２８】
このうち、ロケーションテーブル１４ａの一態様としては、位置ＩＤ（identifier）、位置識別、経度および緯度などの項目が対応付けられたテーブルを採用できる。かかる「位置ＩＤ」とは、設備が設置された位置を識別する識別情報を指す。また、「位置識別」とは、位置の種類の識別を指し、例えば、配電用変電所（ＳＳ）、電柱（ＰＯＬＥ）や負荷設備（ＬＯＡＤＬ）などの種類が挙げられる。なお、ロケーションテーブル１４ａに記憶される情報は、例えば、他の既存のシステム、例えば配電系統の設備を管理する配電設備管理システムから変電所、電柱、変圧器などの特定の設備の位置情報を取得することができる。【００２９】
図４は、ロケーションテーブル１４ａの一例を示す図である。例えば、図４に示す位置ＩＤ「SS0001」のロケーションは、東経１２８度０８分４８秒６６及び北緯５０度２７分２３秒０１６に位置し、配電用変電所があることを意味する。また、図４以降に図示する各種のＩＤは、例えば、配電用変電所を表す「ＳＳ」、電柱を表す「ＰＯ」や負荷設備「ＬＬ」などの設備の種別を識別可能な文字列をＩＤを構成する文字列の頭に付加して採番がなされる。この各種ＩＤは、設備の種別を識別可能な文字列を、ＩＤを構成する文字列の頭に付加して採番するに限らず、一意に認識できる値を付与して良い。なお、ここでは、設備の位置を特定する項目として経度および緯度を用いる場合を例示したが、他の項目、例えばローカルな座標値、住所などを用いることもできる。【００３０】
ユニットテーブル１５ａの一態様としては、設備ＩＤ、位置ＩＤ、種別及び属性情報などの項目が対応付けられたテーブルを採用できる。かかる「設備ＩＤ」とは、設備を識別する識別情報を指し、ユニットテーブル１５ａではユニットの設備ＩＤだけが格納される。また、「種別」とは、ユニットの種別を指し、例えば電柱（ＰＯＬＥ）、開閉器（ＳＷ）、柱上変圧器（ＢＡＮＫ）や負荷設備（ＬＯＡＤＬ）などの種類が挙げられる。また、「属性情報」とは、ユニットの属性に関する情報を指し、例えば、ユニットの型番や性能、例えばユニットが変圧器である場合には変圧器の容量が登録される。かかる変圧器の容量は、現系統の設備の電気的な接続情報が抽出された際に電圧降下の計算に用いることができる。例えば、ユニットが変圧器である場合には、抵抗値、リアクタンス値や変圧器の電圧比が登録される。なお、ユニットテーブル１５ａに記憶される情報は、例えば、他の既存のシステム、例えば配電設備管理システムから取得され、取得された設備の属性情報うちユニットに分類された設備の属性情報が登録される。【００３１】
図５は、ユニットテーブル１５ａの一例を示す図である。例えば、図５に示す設備ＩＤ「PO0001P1」のユニットは、位置ＩＤ「PO0001」に対応する位置、すなわち図４に示した東経１２８度０８分４１秒７６及び北緯５０度２７分２３秒０２１に位置し、電柱であることを意味する。また、図５に示す設備ＩＤ「PO000101」のユニットは、位置ＩＤ「PO0001」に対応する位置、すなわち図４に示した東経１２８度０８分４１秒７６及び北緯５０度２７分２３秒０２１に位置し、開閉器であることを意味する。また、図５に示す設備ＩＤ「PO000701」のユニットは、位置ＩＤ「PO0007」に対応する位置、すなわち図４の例で言えば東経１２８度０８分３４秒３０及び北緯５０度２７分２７秒８４４に位置し、抵抗値「３６８００Ω」、リアクタンス値「３１３００Ω」、電圧比１を持つ柱上変圧器であることを意味する。【００３２】
スパンテーブル１５ｂの一態様としては、設備ＩＤ、位置ＩＤ１、位置ＩＤ２、種別および属性情報などの項目が対応付けられたテーブルを採用できる。ここで言う「設備ＩＤ」も、設備を識別する識別情報を指すが、スパンテーブル１５ｂにはスパンの設備ＩＤだけが格納される。また、「位置ＩＤ１」とは、スパンに紐付く２つの位置ＩＤのうち一方の位置ＩＤを指し、「位置ＩＤ２」とは、スパンに紐付く２つの位置ＩＤのうち他方の位置ＩＤを指す。また、「種別」とは、スパンの種別を指し、例えば、高圧線、低圧線及び引込線などの種類が挙げられる。また、「属性情報」は、スパンの属性に関する情報を指し、例えば、スパンの型番、太さ、材質、径間、単位（ｍ）当たりの抵抗値や単位（ｍ）当たりのリアクタンス値などが登録される。かかる径間、単位当たりの抵抗値や単位当たりのリアクタンス値は、現系統の設備の電気的な接続情報が抽出された際に電圧降下の計算に用いることができる。なお、スパンテーブル１５ｂに記憶される情報は、例えば、他の既存のシステム、例えば配電設備管理システムから取得され、取得された設備の属性情報うちスパンに分類された設備の属性情報が登録される。【００３３】
図６は、スパンテーブル１５ｂの一例を示す図である。例えば、図６に示す設備ＩＤ「SP0001」のスパンは、位置ＩＤ１「SS0001」に対応する位置および位置ＩＤ２「PO0001」に対応する位置の区間に架設された３相の高圧線であることを意味する。かかる区間は、図４を用いて説明したように、東経１２８度０８分４８秒６６及び北緯５０度２７分２３秒０１６から東経１２８度０８分４１秒７６及び北緯５０度２７分２３秒０２１の区間に相当する。さらに、設備ＩＤ「SP0001」のスパンの径間、抵抗及びリアクタンスは、それぞれ「２１ｍ」、「２２０Ω／ｍ」、「１５０Ω／ｍ」であることを意味する。なお、図６に示す種別が３Ｈである場合には、スパンが単相３線の高圧線であることを意味し、種別が３Ｌである場合には、スパンが単相３線の低圧線であることを意味し、また、種別がブランクである場合には、スパンが引込線であることを意味する。【００３４】
ノードテーブル１６ａの一態様としては、ノードＩＤ及び位置ＩＤなどの項目が対応付けられたテーブルを採用できる。かかる「ノードＩＤ」は、ノードを識別する識別情報を指す。なお、ノードテーブル１６ａに記憶される情報は、既存の他のシステム、例えば配電設備管理システムおよび配電系統の監視や開閉器の遠隔操作を行う配電自動化システムから取得される。例えば、配電設備管理システムから取得された低圧系統の設備の情報または配電自動化システムから取得された高圧系統の設備の情報からノードが抽出された後にノードの所在位置と対応付けてノードテーブル１６ａに登録される。【００３５】
図７は、ノードテーブル１６ａの一例を示す図である。例えば、図７に示すノードＩＤ「SS0001N01」の接続点は、位置ＩＤ「SS0001」に対応する位置、すなわち図４に示した東経１２８度０８分４８秒６６及び北緯５０度２７分２３秒０１６に位置することを意味する。また、図７に示すノードＩＤ「PO0001N01」及び「PO0001N02」の接続点は、いずれも位置ＩＤ「PO0001」に対応する同一の位置、すなわち図４に示した東経１２８度０８分４１秒７６及び北緯５０度２７分２３秒０２１に位置することを意味する。【００３６】
ブランチテーブル１６ｂの一態様としては、ブランチＩＤ、ノードＩＤ１、ノードＩＤ２、設備ＩＤおよび開閉区分などの項目が対応付けられたテーブルを採用できる。かかる「ブランチＩＤ」とは、ブランチを識別する識別情報を指す。また、「ノードＩＤ１」とは、ブランチが持つ２つのノードＩＤのうち一方のノードＩＤを指し、「ノードＩＤ２」とは、ブランチが持つ２つのノードＩＤのうち他方のノードＩＤを指す。ただし、配電用変電所や負荷設備などの端点に位置するブランチは、ノードＩＤ１またはノードＩＤ２のいずれかにしかノードＩＤを持たない場合がある。例えば、ノードＩＤ１及びノードＩＤ２のうちノードＩＤ１には、ノードＩＤ２よりも一次側、すなわち変電所寄りの接続点のノードＩＤが登録されるとともに、ノードＩＤ２には、ノードＩＤ１よりも二次側、すなわち負荷設備寄りの接続点のノードＩＤが登録される。また、ここで言う「設備ＩＤ」も、設備を識別する識別情報を指すが、ブランチテーブル１６ｂにはユニットまたはスパンのいずれかの設備ＩＤが格納される。また、「開閉区分」は、開閉器のスイッチの開閉状態を指す。かかる開閉区分には、ブランチが開閉器である場合には「開状態」または「閉状態」のいずれかが設定されるが、ブランチが開閉器以外である場合には「ブランク」とされる。【００３７】
なお、ブランチテーブル１６ｂに記憶される情報は、既存の他のシステム、例えば配電設備管理システムおよび配電自動化システムから取得される。例えば、配電設備管理システムから取得された低圧系統の設備の情報または配電自動化システムから取得された高圧系統の設備の情報からブランチが抽出された後にブランチが持つノードと対応付けてブランチテーブル１６ｂに登録される。【００３８】
図８は、ブランチテーブル１６ｂの一例を示す図である。例えば、図８に示すブランチＩＤ「BR0001」のブランチは、ノードＩＤ１「SS0001N01」およびノードＩＤ２「PO0001N01」によって定義される設備ＩＤ「SP0001」の高圧線であることを意味する。また、図８に示すブランチＩＤ「BR0002」のブランチは、ノードＩＤ１「PO0001N01」およびノードＩＤ２「PO0001N02」によって定義される設備ＩＤ「PO000101」の開閉器であり、かつ開閉区分が「１」なので、開閉器が閉状態であることを意味する。なお、図８に示す開閉区分が「０」である場合には、開閉器が開状態であることを意味し、また、開閉区分がブランクである場合には、設備が開閉器ではないことを意味する。開閉器の閉状態とは、電気を流す状態であり、開状態は電気を流さない状態である。【００３９】
なお、記憶部１３に記憶される情報のうち上記の位置情報１４、設備情報１５及び電気接続情報１６以外の配電系統情報１７および表示設定情報１８については、これらの情報を生成、取得、あるいは使用する機能部の説明に合わせて後述する。【００４０】
制御部１９は、各種の処理手順を規定したプログラムや制御データを格納するための内部メモリを有し、これらによって種々の処理を実行する。制御部１９は、図１に示すように、検索部１９ａと、対応付け部１９ｂと、取得部１９ｃと、表示制御部１９ｄとを有する。【００４１】
検索部１９ａは、電気接続情報１６を参照して、所定のノードを起点とし、ノードの組合せに含まれるノードのうち未探索のノードを探索しながら当該組合せに対応するブランチを検索する処理部である。【００４２】
一態様としては、検索部１９ａは、クライアント端末３０を介して配電系統情報の閲覧要求を受け付けた場合や前回に処理が実行されてから一定期間が経過した場合に、処理を起動する。まず、検索部１９ａは、ロケーションテーブル１４ａに記憶された位置ＩＤのうち位置種別が配電用変電所「ＳＳ」である位置ＩＤを検索する。そして、検索部１９ａは、図示しない内部メモリに記憶された探索リストに対し、ロケーションテーブル１４ａから検索されたＳＳの位置ＩＤを登録する。かかる探索リストには、探索の対象とするＳＳの位置ＩＤの他、探索時に発見された未探索のノードやブランチが随時登録される。なお、ここでは、ロケーションテーブル１４ａからＳＳの位置ＩＤを検索する場合を例示したが、ノードテーブル１６ａやブランチテーブル１６ｂに記憶されたノードＩＤのうち文字列が「ＳＳ」で始まるノードＩＤを検索することとしてもかまわない。【００４３】
続いて、検索部１９ａは、探索リストに登録されたＳＳの位置ＩＤを１つ選択する。そして、検索部１９ａは、ノードテーブル１６ａに記憶されたノードのうち先に選択が実行されたＳＳの位置ＩＤに対応するノードを検索する。その上で、検索部１９ａは、ノードテーブル１６ａから検索されたノードのレコードを、記憶部１３に配電系統情報１７として記憶されたカレントノードテーブル１７ａへ登録する。さらに、検索部１９ａは、ノードテーブル１６ａから検索されたノードを探索リストに登録する。なお、ＳＳが複数のＳＳバンクを有する場合には、１つの位置ＩＤを用いて検索がなされた場合でも複数のノードのレコードが検索される。【００４４】
そして、検索部１９ａは、探索リストに登録されたノードを１つ選択する。続いて、検索部１９ａは、ブランチテーブル１６ｂに記憶されたブランチのうち先に選択が実行されたノードが含まれるノードＩＤの組合せ、すなわちノードＩＤ１及びノードＩＤ２の組合せを持つブランチのレコードを検索する。その上で、検索部１９ａは、ブランチテーブル１６ｂから検索されたブランチのレコードを、記憶部１３に配電系統情報１７として記憶されたカレントブランチテーブル１７ｂへ登録する。さらに、検索部１９ａは、ブランチテーブル１６ｂから検索されたブランチを探索リストに登録する。このとき、探索リストに登録されるのは、ブランチを識別できる情報であればよく、例えば、少なくともブランチＩＤまたは設備ＩＤのいずれかを登録すればよい。【００４５】
続いて、検索部１９ａは、探索リストに登録されたブランチを１つ選択する。そして、検索部１９ａは、スパンテーブル１５ｂから先に選択が実行されたブランチの設備ＩＤに対応する属性情報を検索する。このとき、ブランチがスパンである場合には、スパンテーブル１５ｂから属性情報を検索できるが、ブランチがユニットである場合には、属性情報を検索できない。このため、検索部１９ａは、スパンテーブル１５ｂから属性情報を検索できなかった場合には、ユニットテーブル１５ａから先に選択が実行されたブランチの設備ＩＤに対応する属性情報を検索する。【００４６】
その後、検索部１９ａは、ノードの組合せのうち探索に用いられたノードとは対となる他方のノードがブランクではない場合に、当該ブランチが開閉器であるか否かを判定する。そして、検索部１９ａは、ブランチが開閉器である場合には、開閉器のスイッチが閉状態であるか否か、すなわち開閉区分が「１」であるか否かを判定する。このとき、検索部１９ａは、開閉器のスイッチが閉状態である場合には、ノードテーブル１６ａから他方のノードのレコードを検索した上で配電系統情報１７のカレントノードテーブル１７ａへ登録する。さらに、検索部１９ａは、他方のノードを未探索のノードとして探索リストへ追加する。【００４７】
そして、検索部１９ａは、探索リストに登録されたブランチを全て探索するまで、未探索のブランチの選択からこれまでの処理を繰り返し実行する。その後、検索部１９ａは、探索リストに登録されたブランチを全て探索すると、探索リストに登録されたノードを全て探索するまで、未探索のノードの選択からこれまでの処理を繰り返し実行する。そして、検索部１９ａは、探索リストに登録されたＳＳの位置ＩＤを全て探索するまで、未探索のＳＳの位置ＩＤの選択からこれまでの処理を繰り返し実行する。【００４８】
対応付け部１９ｂは、探索が実行された接続点の組合せ及び検索の結果として得られた設備と、設備情報１５に含まれる属性情報のうち検索の結果として得られた設備に対応する属性情報とを対応付ける処理部である。一態様としては、対応付け部１９ｂは、探索が実行されたブランチのレコードと、スパンテーブル１５ｂまたはユニットテーブル１５ａから検索されたブランチの属性情報とを対応付ける。例えば、対応付け部１９ｂは、カレントブランチテーブル１７ｂに記憶されたレコードのうちスパンテーブル１５ｂまたはユニットテーブル１５ａの検索に用いたブランチの設備ＩＤまたはブランチＩＤに対応付けて当該ブランチの属性情報を登録する。このとき、対応付け部１９ｂは、ユニットテーブル１５ａまたはスパンテーブル１５ｂからブランチの設備ＩＤに対応する位置ＩＤを検索した上でその位置ＩＤをさらに対応付けることもできる。【００４９】
ここで、図４〜図８の各テーブルを用いて、検索部１９ａ及び対応付け部１９ｂによる処理内容を具体的に説明する。最初に、図４に示したロケーションテーブル１４ａに記憶された位置ＩＤのうち位置種別が配電用変電所「ＳＳ」である位置ＩＤ「SS0001」が検索される。すると、ロケーションテーブル１４ａから検索されたＳＳの位置ＩＤ「SS0001」が探索リストに登録される。この場合、探索リストには、ＳＳの位置ＩＤが「SS0001」しか登録されていないので、位置ＩＤ「SS0001」が選択される。これを受けて、図７に示したノードテーブル１６ａに記憶されたノードのうち先に選択が実行されたＳＳの位置ＩＤ「SS0001」に対応するノードＩＤ「SS0001N01」が検索される。続いて、ノードテーブル１６ａから検索されたノードＩＤ「SS0001N01」のレコードがカレントノードテーブル１７ａへ登録される。さらに、ノードテーブル１６ａから検索されたノードＩＤ「SS0001N01」が探索リストにも登録される。この場合、探索リストには、ノードＩＤが「SS0001N01」しか登録されていないので、ノードＩＤ「SS0001N01」が選択される。【００５０】
すると、図８に示したブランチテーブル１６ｂに記憶されたブランチのうち先に選択が実行されたノードＩＤ「SS0001N01」が含まれるノードＩＤ１「SS0001N01」及びノードＩＤ２「PO0001N01」の組合せを持つ設備ＩＤ「SP0001」のブランチが検索される。その上で、ブランチテーブル１６ｂから検索された設備ＩＤ「SP0001」のブランチのレコードがカレントブランチテーブル１７ｂへ登録される。さらに、ブランチテーブル１６ｂから検索された設備ＩＤ「SP0001」が探索リストに登録される。この場合、探索リストには、設備ＩＤが「SP0001」しか登録されていないので、設備ＩＤ「SP0001」が選択される。【００５１】
すると、図６に示したスパンテーブル１５ｂから先に選択が実行された設備ＩＤ「SP0001」に対応するスパンの属性情報「径間２１ｍ、抵抗ＲＨ１、リアクタンスＸＨ１」が検索される。なお、ここでは、スパンの属性情報が検索される場合を例示したが、「SP」以外の文字列で始まる設備ＩＤの場合には、スパンテーブル１５ｂからは属性情報が検索されず、図５に示したユニットテーブル１５ａからユニットの属性情報が検索されることになる。【００５２】
このようにして得られた属性情報「径間２１ｍ、抵抗２２０Ω／ｍ、リアクタンス１５０Ω／ｍ」から、抵抗値４６２１（２２０×２１）Ω、リアクタンス値３１５０（１５０×２１）Ωがスパンテーブル１５ｂの検索に用いられた設備ＩＤ「SP0001」のブランチのレコードに対応付けてカレントブランチテーブル１７ｂに登録される。【００５３】
その後、ノードＩＤ１「SS0001N01」及びノードＩＤ２「PO0001N01」の組合せには、探索に用いられたノードＩＤ「SS0001N01」とは対となる他方のノードＩＤに「PO0001N01」が値として設定されている。このように、他方のノードＩＤがブランクではないので、当該設備ＩＤ「SP0001」のブランチが開閉器であるか否かが判定される。そして、設備ＩＤ「SP0001」のブランチは、開閉区分の値がブランクであり、開閉器ではない。よって、ノードテーブル１６ａから他方のノードＩＤ「PO0001N01」のレコードを検索した上で他方のノードＩＤ「PO0001N01」のレコードが配電系統情報１７のカレントノードテーブル１７ａへ登録される。さらに、他方のノードＩＤ「PO0001N01」が未探索のノードとして探索リストへ追加される。【００５４】
このように、他方のノードＩＤ「PO0001N01」が未探索のノードとして探索リストへ登録された時点では、ノードＩＤ「PO0001N01」以外にノードＩＤが登録されていない。このため、ノードＩＤ「PO0001N01」が選択された上で探索が継続される。【００５５】
なお、ここでは、他方のノードＩＤがブランクではない場合を例示したが、他方のノードＩＤがブランクである場合には、探索リストに登録された未探索のブランチの探索が実行される。また、未探索のブランチがなければ未探索のノードの探索が実行される。そして、未探索のＳＳの位置ＩＤがなければ探索が終了される。また、ここでは、ブランチが開閉器でない場合を例示したが、開閉器である場合には、開閉器のスイッチが閉状態でなければ他方のノードＩＤの検索、さらには、探索リストへの他方のノードの追加は実行されない。これは、開閉器のスイッチが開状態である場合に、他方のノードＩＤの検索や探索リストへの他方のノードの追加を実行すると、電気的に接続されていない異なる配電系統をカレントノードテーブル１７ａやカレントブランチテーブル１７ｂに誤登録することになるからである。【００５６】
上記の探索によって、ノードテーブル１６ａに登録されたブランチの中から探索が実行された時点で互いの設備が電気的に接続された配電系統のノードを検索したカレントノードテーブル１７ａを生成できる。さらに、上記の探索によって、ブランチテーブル１６ｂに登録されたブランチの中から探索が実行された時点で互いが電気的に接続された配電系統のブランチ及びブランチに対応する属性情報を検索した上でブランチ及び属性情報が対応付けられたカレントブランチテーブル１７ｂを生成できる。なお、以下では、探索が実行された時点で互いの設備が電気的に接続された配電系統のことを「現系統」と記載する場合がある。【００５７】
このようにして生成されたカレントノードテーブル１７ａ及びカレントブランチテーブル１７ｂを含む配電系統情報１７が記憶部１３に登録される。図９は、カレントノードテーブル１７ａの一例を示す図である。図１０は、カレントブランチテーブル１７ｂの一例を示す図である。これら図９及び図１０には、ノードＩＤ「SS0001N01」を起点とし、図４〜図８に示した各テーブルを用いて生成されたカレントノードテーブル１７ａ及びカレントブランチテーブル１７ｂが図示されている。【００５８】
図９に示すように、カレントノードテーブル１７ａのレコードのうち需要家の負荷設備と配電系統の設備との接続点であるノード「LL0001N01」、「LL0002N01」、「LL0003N01」、「LL0004N01」、「LL0005N01」、「LL0006N01」、「LL0007N01」及び「LL0008N01」のレコードには、スマートメータ等の計量器によって計量された電力使用量が属性情報の一例として登録される。かかる電力使用量には、負荷設備によって消費される「有効電力」と、負荷設備によって消費されない「無効電力」とが含まれる。このうち、無効電力は、遅れ無効電力とも呼ばれる。これらの電力使用量（有効）および電力使用量（無効）は、各ノードにおける電圧を計算する場合に参照される。【００５９】
図１０に示すように、カレントブランチテーブル１７ｂのレコードのうちブランチの設備が開閉器であるレコードには、ブランチテーブル１６ｂに登録されていた開閉区分の値が登録される。例えば、ブランチＩＤ「BR0002」、「BR0006」及び「BR0019」の開閉器には、いずれも開閉区分に「１」が登録されているので、開閉器のスイッチが閉状態であり、通電状態にあることを意味する。図１０には、開閉区分が「１」である開閉器を例示したが、開閉器の開閉区分が「０」である場合には、開閉器のスイッチが開状態であり、通電状態にないことを意味する。また、カレントブランチテーブル１７ｂの各レコードには、リアクタンス値Ｘと抵抗値Ｒとが属性情報の一例として登録される。このうち、ブランチの設備がユニットである設備、例えば開閉器や変圧器などには、ユニットテーブル１５ａに登録されていたリアクタンス値Ｘと抵抗値Ｒが属性情報としてそのまま登録される。一方、ブランチの設備がスパンである設備には、スパンテーブル１５に登録されている単位当たりのリアクタンス値に径間の値が乗算された値がリアクタンス値Ｘとして登録されるとともに、単位当たりの抵抗値に径間の値が乗算された値が抵抗値Ｒとして登録される。これらユニット及びスパンのリアクタンス値Ｘ及び抵抗値Ｒは、各ノードにおける電圧を計算する場合に参照される。【００６０】
なお、ここでは、電圧の計算に使用されるパラメータとして、電力使用量（有効）、電力使用量（無効）、抵抗値やリアクタンス値を例示したが、カレントノードテーブル１７ａまたはカレントブランチテーブル１７ｂのいずれかのテーブルに変圧器が接続される接続相の項目を追加することによって電圧の計算をより精密に行うことができる。例えば、電線が単相３線である場合には、柱上で電線に接続される変圧器の１台目を「接続相１」とし、２台目を「接続相２」とし、３台目を「接続相３」とし、３線の電線のうち１本目と２本目に変圧器が接続される場合には値「Ａ」を登録し、２本目と３本目に変圧器が接続される場合には値「Ｂ」を登録し、１本目と３本目に変圧器が接続される場合には値「Ｃ」を登録することができる。【００６１】
このように、図９に示したカレントノードテーブル１７ａ及び図１０に示したカレントブランチテーブル１７ｂは、図１１及び図１２に示す配電系統のグラフ構造を表す。図１１及び図１２は、現系統のグラフ構造の一例を示す図である。図１１及び図１２に示す現系統は、ＳＳバンクと設備ＩＤ「SP0001」の高圧線の接続点であるノードＩＤ「SS0001N01」のノードを階層構造のルート（１階層）に持つ。さらに、現系統は、ルートから終端となる設備ＩＤ「LL000101」、「LL000201」、「LL000301」、「LL000401」、「LL000501」、「LL000601」、「LL000701」、「LL000801」の８つの負荷設備へ向かう経路を持つ。このうち、ＳＳバンクから設備ＩＤ「LL000801」の負荷設備までの階層が１０階層と最も浅く、ＳＳバンクから設備ＩＤ「LL000201」、「LL000301」及び「LL000401」の負荷設備までの階層が１９階層と最も深いことがわかる。このように、上記の配電系統情報１７を生成することによって、高圧系統や低圧系統といった大雑把な単位ではなく、設備単位、さらには、設備間の接続点単位に細分化して現系統の電気的な繋がりを把握することができる。【００６２】
ここで、カレントノードテーブル１７ａおよびカレントブランチテーブル１７ｂの他の一例について説明する。図２９は、カレントノードテーブル１７ａの一例を示す図である。図３０は、カレントブランチテーブル１７ｂの一例を示す図である。なお、図２９及び図３０には、図７に示したノードテーブル１６ａ及び図８に示したブランチテーブル１６ｂと略同一のものであるが、異常ブランチの検出に使用される項目を追加して図示する一方で、異常ブランチの検出に使用されない項目については図示を省略している項目も含まれる。例えば、図２９に示すカレントノードテーブル１７ａには、図７に示したノードテーブル１６ａと比べて、異常ブランチの検出に用いる通電状態の項目が追加されている一方で、位置ＩＤは図示していないが、図示が省略されているだけで当然のことながら位置ＩＤも登録されているものとする。また、図３０に示すカレントブランチテーブル１７ｂには、異常ブランチの検出に用いない開閉区分は図示していないが、図示が省略されているだけで当然のことながら開閉区分も登録されているものとする。【００６３】
図１の説明に戻り、取得部１９ｃは、クライアント端末３０に表示させる画面の表示設定を取得する処理部である。一態様としては、取得部１９ｃは、クライアント端末３０から配電系統画面の閲覧要求を受け付けた場合に、記憶部１３に記憶された表示設定情報１８を取得することができる。【００６４】
ここで、記憶部１３に記憶される表示設定情報１８の一例について説明する。かかる表示設定情報１８には、例えば、地図の表示範囲および地図の縮尺などの項目が対応付けられたデータを採用できる。このうち、地図の表示範囲の一例としては、最後に配電系統画面が閲覧された時点の地図の表示範囲や電気事業者の管轄区域のうち重要度が高い配電系統が含まれる領域などが挙げられる。かかる地図の範囲は、例えば、配電系統画面上の特定の点、例えば画面の左上の頂点や中心、画面の幅および高さ等の要素によって定義することができる。また、地図の縮尺の一例としては、地図の縮尺そのものであってもよいし、一定の縮尺が対応付けられたレベル、例えば詳細図よりも縮尺が小さい「広域図」および広域図よりも縮尺が大きい「詳細図」などであってもかまわない。【００６５】
他の一態様としては、取得部１９ｃは、クライアント端末３０から配電系統画面の閲覧要求を受け付けた場合に、クライアント端末３０から配電系統画面の表示設定の入力を受け付けることによって表示設定を取得することもできる。【００６６】
図１３及び図１４は、表示設定の受付画面の一例を示す図である。図１３及び図１４に示す表示設定の受付画面２００は、一つの配電用変電所が管轄する全域が収まった全域地図が図示されている。図１３には、地図の縮尺が「広域図」である場合に、全域地図上で配電系統画面の表示範囲を設定するのに用いられる照準２１０が図示されている。一方、図１４には、地図の縮尺が「詳細図」である場合に全域地図上で配電系統画面の表示範囲を設定するのに用いられる照準２２０が図示されている。かかる受付画面２００では、図示しない切替えボタン等を操作することによって照準２１０または照準２２０のいずれを用いるかを自在に切り替えることができる。また、地図の縮尺は、プルダウンメニュから選択することとしてもよいし、フォームから任意の縮尺を入力させることとしてもかまわない。また、図１３及び図１４に示す受付画面２００上で照準２１０または照準２２０を所望の位置に移動させることによって配電系統画面に表示させる地図の表示範囲を設定できる。なお、上記の表示設定の受付画面２００は、配電系統画面の閲覧要求を受け付けた場合に一時的に表示させることとしてもよいが、ウィンドウ内で配電系統画面が表示される位置とは別の位置に定常的に表示させることとしてもかまわない。【００６７】
表示制御部１９ｄは、クライアント端末３０に対する表示制御を実行する処理部である。一態様としては、表示制御部１９ｄは、取得部１９ｃによって取得された表示設定にしたがって配電系統画面の表示データを生成した上で配電系統画面をクライアント端末３０に表示させる。なお、ここでは、表示用データをクライアント端末３０に表示させる場合を例示するが、配電管理装置１０や他の装置が有する表示部に表示させることとしてもかまわない。【００６８】
これを説明すると、表示制御部１９ｄは、ロケーションテーブル１４ａから、所定の範囲に含まれる位置ＩＤを取得する。そして、表示制御部１９ｄは、ユニットテーブル１５ａ及びスパンテーブル１５ｂから所定の範囲内にある位置ＩＤを持つユニットおよびスパンのレコードを取得する。続いて、表示制御部１９ｄは、ユニット及びスパンのレコードのうちブランチテーブル１６ｂに設備ＩＤが登録されているレコードを抽出する。これによって、ユニット及びスパンの中でも現系統に含まれるユニット及びスパンが抽出されることになる。その上で、表示制御部１９ｄは、表示設定の地図の縮尺が「広域図」または「詳細図」のいずれであるかを判定する。なお、ここでは、地図の縮尺が「広域図」または「詳細図」のいずれであるかを判定する場合を例示したが、地図の縮尺が所定の閾値以下であるか否かを判定することとしてもかまわない。【００６９】
ここで、地図の縮尺が「広域図」である場合には、詳細図に比べて配電系統画面に表示される設備の量が多くなり、設備の記号や図形の表示サイズが小さくなる。このため、表示制御部１９ｄは、現系統に含まれる設備のうち高圧系統の設備だけを表示させる。例えば、表示制御部１９ｄは、先に読み出されたユニット及びスパンのレコードに含まれる種別を参照して、高圧系統の設備、すなわち変電所、高圧線や開閉器などの設備を抽出する。その上で、表示制御部１９ｄは、ユニット及びスパンの位置ＩＤに対応する緯度及び経度等の位置情報を用いて、記憶部１３に記憶された地図情報から切り出された表示範囲の地図画像に高圧系統の設備を配置することによって広域図の表示データを生成する。【００７０】
図１５は、配電系統画面の一例を示す図である。図１５には、図１３に示した広域図用の受付画面２００上で照準２１０が図１３に示した位置に設定された場合の広域図３００が図示されている。図１５に示すように、広域図３００には、ＳＳバンクから配電される配電系統が図示されている。ここで、広域図３００には、各配電系統に含まれる設備のうち変電所、高圧線および開閉器を含む高圧系統の設備だけが図示されている一方で、低圧系統の設備は図示されていない。このため、縮尺が小さく設定されて設備の量が多くなり、設備の記号や図形の表示サイズが小さくなっても、低圧系統の設備が表示されない分、高圧系統の設備の視認性が向上する。かかる広域図３００は、高圧系統に含まれる設備の電圧調整がなされる場合に好適に利用できる。【００７１】
一方、地図の縮尺が「詳細図」である場合には、広域図に比べて配電系統画面に表示される設備の量が少なくなり、設備の記号や図形の表示サイズも大きくなる。この場合には、表示制御部１９ｄは、現系統に含まれる設備のうち高圧系統の設備および低圧系統の設備の両方を表示させる。例えば、表示制御部１９ｄは、先に読み出されたユニット及びスパンの位置ＩＤに対応する緯度及び経度等の位置情報を用いて、記憶部１３に記憶された地図情報から切り出された表示範囲の地図画像に高圧系統及び低圧系統の設備を配置することによって詳細図の表示データを生成する。【００７２】
図１６は、配電系統画面の一例を示す図である。図１６には、図１４に示した詳細図用の受付画面２００上で照準２２０が図１４に示した位置に設定された場合の詳細図４００が図示されている。図１６に示すように、詳細図４００には、Ｍ駅周辺の配電系統が図示されている。ここで、詳細図４００には、各配電系統に含まれる設備のうち変電所、高圧線および開閉器を含む高圧系統の設備とともに、柱上変圧器、低圧線、引込線や負荷設備を含む低圧系統の設備も併せて図示されている。このため、縮尺が大きく設定されて設備の量が少なくなり、設備の記号や図形の表示サイズを大きくできる場合には、高圧系統及び低圧系統の両方の設備が表示される分、視認性の劣化を抑制しつつ配電系統を詳細に表示できる。かかる詳細図４００は、柱上変圧器等で電圧調整を行ってその影響範囲を確認する場合に、変圧器を境界に高圧系統および低圧系統の両方への影響を視認できるので、低圧系統に含まれる設備の電圧調整がなされる場合に好適に利用できる。【００７３】
他の一態様としては、表示制御部１９ｄは、クライアント端末３０から縮尺の変更要求を受け付けた場合に、当該変更要求を受け付けた縮尺に合わせて地図および設備が拡大または縮小された配電系統画面の表示データを再生成する。【００７４】
例えば、表示制御部１９ｄは、詳細図から広域図へ変更する縮尺の変更要求を受け付けた場合には、変更後の縮尺における所定の範囲に含まれるノードの位置ＩＤを持つユニットおよびスパンのレコードを読み出す。その上で、表示制御部１９ｄは、先に読み出されたユニット及びスパンのレコードに含まれる種別を参照して、高圧系統の設備の位置ＩＤに対応する緯度及び経度等の位置情報を用いて、表示範囲の地図画像に高圧系統の設備を配置することによって広域図の表示データを再生成する。【００７５】
一方、表示制御部１９ｄは、広域図から詳細図へ変更する縮尺の変更要求を受け付けた場合には、変更後の縮尺における所定の範囲に含まれるノードの位置ＩＤを持つユニットおよびスパンのレコードを読み出す。その上で、表示制御部１９ｄは、先に読み出されたユニット及びスパンの位置ＩＤに対応する緯度及び経度等の位置情報を用いて、表示範囲の地図画像に高圧系統及び低圧系統の設備を配置することによって詳細図の表示データを再生成する。なお、ここでは、広域図および詳細図の間で縮尺が変更される場合を例示したが、値によって縮尺を変更することとしてもかまわない。例えば、表示制御部１９ｄは、所定の閾値以下の縮尺に変更された場合に、クライアント端末３０に高圧系統の設備だけを表示させ、閾値を超える縮尺に変更された場合に、クライアント端末３０に配電系統の設備を表示させる。【００７６】
更なる一態様としては、表示制御部１９ｄは、クライアント端末３０から配電系統画面に含まれる設備の指定を受け付けた場合に、当該指定を受け付けた設備および設備が属する配電系統の表示態様を変更する。【００７７】
例えば、表示制御部１９ｄは、広域図の画面上で高圧系統の設備の指定を受け付けた場合には、当該指定を受け付けた位置に存在するブランチをブランチテーブル１６ｂから検索する。そして、表示制御部１９ｄは、ブランチテーブル１６ｂから検索されたブランチを探索リストへ登録する。続いて、表示制御部１９ｄは、探索リストからブランチを１つ選択する。さらに、表示制御部１９ｄは、当該ブランチが持つノードを探索リストへ登録する。そして、表示制御部１９ｄは、探索リストからノードを１つ選択する。続いて、表示制御部１９ｄは、ブランチテーブル１６ｂから先に選択が実行されたノードを持つブランチを検索する。そして、表示制御部１９ｄは、ブランチテーブル１６ｂから検索されたブランチが高圧系統の設備であるか否かを判定する。このとき、表示制御部１９ｄは、ブランチが高圧系統の設備である場合には、当該ブランチを図示しない内部メモリに記憶された表示変更リストへ登録するとともに、当該ブランチを探索リストへ登録する。かかる表示変更リストは、リスト内に登録されていないブランチとは異なる表示態様に変更するブランチのリストである。その後、表示制御部１９ｄは、探索リストに未登録のノードがなくなるまで、ブランチの検索や高圧系統の所属可否の判定を繰り返し実行する。そして、表示制御部１９ｄは、探索リストに未探索のノードがなくなると、探索リストに未探索のブランチがなくなるまで、ブランチの選択から高圧系統の所属可否の判定までの処理を繰り返し実行する。その後、表示制御部１９ｄは、表示変更リストに登録された高圧系統の設備の表示態様が他のブランチの表示態様と異なる表示態様に変更された配電系統画面の表示データを生成する。このとき、表示制御部１９ｄは、表示変更リストに登録された高圧系統の設備以外の設備を地図上から消去することもできる。【００７８】
図１７は、配電系統画面の一例を示す図である。図１７には、図１５に示した広域図３００上で高圧系統の設備が表示されている位置Ｐ１が指定された場合に、当該高圧系統の設備の表示が変更された広域図３１０が図示されている。図１７に示すように、広域図３１０には、位置Ｐ１上に存在する高圧線が属する高圧系統の色や太さが他の高圧系統の色や太さとは異なる態様で表示される。このため、位置Ｐ１の指定がなされた高圧系統が強調された表示を実現できる。さらに、広域図３１０には、低圧系統の設備の記号や図形は図示されていないが、所定の標準電圧から所定の許容範囲までの電圧が所定の電圧ごとに色が区別された円形の塗りつぶしで負荷設備における電圧が表現される。図１７に示すように、許容範囲の上限近傍の点の塗りつぶしで表現された部分は、太陽光パネル等の分散型電源を持つ負荷設備であることが容易に把握できる。このような負荷設備からの逆潮流が起こり得る負荷設備の分布や電圧値は、変電所や開閉器でどのような電圧の調整を行えばよいのかを検討するのに有効に活用できる。【００７９】
また、表示制御部１９ｄは、詳細図の画面上で低圧系統の設備の指定を受け付けた場合には、当該指定を受け付けた位置に存在するブランチをブランチテーブル１６ｂから検索する。そして、表示制御部１９ｄは、ブランチテーブル１６ｂから検索されたブランチを探索リストへ登録する。続いて、表示制御部１９ｄは、探索リストからブランチを１つ選択する。さらに、表示制御部１９ｄは、当該ブランチが持つノードを探索リストへ登録する。そして、表示制御部１９ｄは、探索リストからノードを１つ選択する。続いて、表示制御部１９ｄは、ブランチテーブル１６ｂから先に選択が実行されたノードを持つブランチを検索する。そして、表示制御部１９ｄは、ブランチテーブル１６ｂから検索されたブランチが低圧系統の設備であるか否かを判定する。このとき、表示制御部１９ｄは、ブランチが低圧系統の設備である場合には、当該ブランチを表示変更リストへ登録するとともに、当該ブランチを探索リストへ登録する。その後、表示制御部１９ｄは、探索リストに未登録のノードがなくなるまで、ブランチの検索や低圧系統の所属可否の判定を繰り返し実行する。そして、表示制御部１９ｄは、探索リストに未探索のノードがなくなると、探索リストに未探索のブランチがなくなるまで、ブランチの選択から高圧系統の所属可否の判定までの処理を繰り返し実行する。その後、表示制御部１９ｄは、表示変更リストに登録された低圧系統の設備の表示態様が他のブランチの表示態様と異なる表示態様に変更された配電系統画面の表示データを生成する。このとき、表示制御部１９ｄは、表示変更リストに登録された低圧系統の設備を含む配電系統以外の他の配電系統の設備を地図上から消去することもできる。【００８０】
図１８は、配電系統画面の一例を示す図である。図１８には、詳細図上で低圧系統の設備が表示されている位置が指定された場合に、当該低圧系統の設備の表示が変更された詳細図４１０が図示されている。図１８に示すように、詳細図４１０には、位置の指定がなされた低圧系統の色や太さが他の低圧系統の色や太さとは異なる態様で表示される。例えば、詳細図４１０には、標準電圧、例えば「１０１Ｖ」から許容範囲、例えば「±６」までの電圧が９５Ｖから１０６Ｖまで所定の電圧、例えば１Ｖごとに色が区別された円形の塗りつぶしで負荷設備の電圧が表現される。このため、低圧系統が強調された表示を実現できる。さらに、詳細図４１０には、柱上変圧器から引込線を経由して負荷設備までの経路も図示されている。それ故、柱上変圧器の電圧が変化された場合に影響が生じ得る負荷設備が一目で把握できるので、柱上変圧器における電圧調整に有効活用できる。【００８１】
他の一態様としては、表示制御部１９ｄは、現系統のグラフ構造の表示データを生成することもできる。例えば、表示制御部１９ｄは、記憶部１３に記憶されたブランチテーブル１６ｂに含まれる設備ＩＤのうち所定の設備ＩＤ、例えばＳＳの設備ＩＤやクライアント端末３０から指定を受け付けた任意の設備ＩＤを選択する。そして、表示制御部１９ｄは、先に選択された設備ＩＤに対応付けられたノードＩＤの組合せのうちＳＳに最寄りのノードＩＤを階層構造のルートに設定する。続いて、表示制御部１９ｄは、ルートから終端となる負荷設備の設備ＩＤへ向けてノードの数を経るほどノードへ付与する階層を下げ、ルートから終端までの各ノード間に設備が配置された現系統のグラフ構造の表示データを生成する。【００８２】
ここで、図１９及び図２０を用いて、グラフ構造を表示するメリットについて説明する。図１９は、配電系統画面の一例を示す図である。図２０は、グラフ構造の表示データの一例を示す図である。これら図１９及び図２０は、図２９に示したカレントノードテーブル１７ａ及び図３０に示すカレントブランチテーブル１７ｂから生成される配電系統が図示されている。図１９に示すように、配電系統画面は、配電系統に含まれる各々の設備については明確に把握できる一方で、各設備の電気的な繋がりは把握しづらい一面がある。例えば、図１９に示す配電系統画面では、開閉器および変圧器の間に高圧線と低圧線とが重なっている。このため、変圧器、低圧線、引込線、負荷設備ａの順に低圧電力が配電されていることを把握するまで、高圧線及び低圧線は、電気が開閉器から変圧器の方向へ流れるのか、あるいは変圧器から開閉器の方向へ流れるのかが分かりづらい。一方、図２０に示すように、配電系統のグラフ構造が表示されている場合には、変電所に接続される１階層目のノードから７階層目の負荷設備ａ〜負荷設備ｄに接続される各ノードまでが電気の流れに沿って階層的に表示される。このため、高圧線は、開閉器から変圧器の方向へ高圧電力が配電されており、低圧線は、変圧器から開閉器の方向へ低圧電力が配電されていることが一目で把握できる。さらに、設備に故障や事故などの異常が発生したとしても、異常が発生した設備から負荷設備側へ向かって停電の影響があることも把握しやすい。このように、配電系統のグラフ構造を表示するメリットの一態様としては、設備間の電気的な繋がりが一目で把握できる点が挙げられる。【００８３】
なお、制御部１９には、各種の集積回路や電子回路を採用できる。また、制御部１９が有する機能部の一部を別の集積回路や電子回路とすることもできる。例えば、集積回路としては、ＡＳＩＣ（Application  Specific  Integrated  Circuit）が挙げられる。また、電子回路としては、ＣＰＵ（Central  Processing  Unit）やＭＰＵ（Micro  Processing  Unit）などが挙げられる。【００８４】
［処理の流れ］
続いて、本実施例に係る配電管理装置１０の処理の流れについて説明する。なお、ここでは、配電管理装置１０によって実行される（１）配電管理処理を説明した後に、（２）配電系統画面の表示制御処理、（３）縮尺変更処理、（４）第１の表示変更処理、（５）第２の表示変更処理の順に、説明することとする。【００８５】
（１）配電管理処理
図２１〜図２３は、実施例１に係る配電管理処理の手順を示すフローチャートである。この配電管理処理は、クライアント端末３０を介して配電系統画面の閲覧要求を受け付けた場合や前回に処理が実行されてから一定期間が経過した場合に、処理が開始される。【００８６】
図２１に示すように、検索部１９ａは、ロケーションテーブル１４ａに記憶された位置ＩＤのうち位置種別が配電用変電所「ＳＳ」である位置ＩＤを検索する（ステップＳ１０１）。そして、検索部１９ａは、ロケーションテーブル１４ａから検索されたＳＳの位置ＩＤを探索リストへ登録する（ステップＳ１０２）。【００８７】
続いて、検索部１９ａは、探索リストに登録されたＳＳの位置ＩＤを１つ選択する（ステップＳ１０３）。そして、検索部１９ａは、ノードテーブル１６ａに記憶されたノードのうち先に選択が実行されたＳＳの位置ＩＤに対応するノードを検索する（ステップＳ１０４）。【００８８】
その上で、検索部１９ａは、ノードテーブル１６ａから検索されたノードのレコードを、記憶部１３に配電系統情報１７として記憶されたカレントノードテーブル１７ａへ登録する（ステップＳ１０５）。さらに、検索部１９ａは、ノードテーブル１６ａから検索されたノードを探索リストへ登録する（ステップＳ１０６）。【００８９】
そして、検索部１９ａは、探索リストに登録されたノードを１つ選択する（ステップＳ１０７）。続いて、検索部１９ａは、ブランチテーブル１６ｂに記憶されたブランチのうちステップＳ１０７で選択されたノードが含まれるノードＩＤの組合せ、すなわちノードＩＤ１及びノードＩＤ２の組合せを持つブランチのレコードを検索する（ステップＳ１０８）。【００９０】
その上で、検索部１９ａは、ステップＳ１０８で検索されたブランチのレコードをカレントブランチテーブル１７ｂへ登録する（ステップＳ１０９）。さらに、検索部１９ａは、ステップＳ１０８で検索されたブランチを探索リストに登録する（ステップＳ１１０）。続いて、検索部１９ａは、探索リストに登録されたブランチを１つ選択する（ステップＳ１１１）。【００９１】
そして、検索部１９ａは、図２２に示すように、スパンテーブル１５ｂからステップＳ１１１で選択されたブランチの設備ＩＤに対応する属性情報を検索する（ステップＳ１１２）。このとき、スパンテーブル１５ｂから属性情報を検索できなかった場合、すなわち属性情報がヒットしなかった場合（ステップＳ１１３Ｎｏ）には、検索部１９ａは、次のような処理を実行する。【００９２】
すなわち、検索部１９ａは、ユニットテーブル１５ａからステップＳ１１１で選択されたブランチの設備ＩＤに対応する属性情報を検索する（ステップＳ１１４）。なお、スパンテーブル１５ｂから属性情報を検索できた場合（ステップＳ１１３Ｙｅｓ）には、ステップＳ１１４の処理をとばしてステップＳ１１５の処理へ移行する。【００９３】
そして、対応付け部１９ｂは、カレントブランチテーブル１７ｂに記憶されたレコードのうちスパンテーブル１５ｂまたはユニットテーブル１５ａの検索に用いたブランチのレコードに対応付けて当該ブランチの属性情報を登録する（ステップＳ１１５）。【００９４】
その後、検索部１９ａは、ステップＳ１０８で検索されたブランチが含むノードの組合せのうちステップＳ１０８で探索に用いられたノードとは対となる他方のノードがブランクであるか否かを判定する（ステップＳ１１６）。【００９５】
このとき、他方のノードがブランクでない場合（ステップＳ１１６Ｙｅｓ）には、検索部１９ａは、当該ブランチが開閉器であるか否かをさらに判定する（ステップＳ１１７）。そして、ブランチが開閉器である場合（ステップＳ１１７Ｙｅｓ）には、検索部１９ａは、開閉器のスイッチが閉状態であるか否か、すなわち開閉器がＯＮ状態であるか否かをさらに判定する（ステップＳ１１８）。【００９６】
ここで、開閉器がＯＮ状態である場合（ステップＳ１１８Ｙｅｓ）には、検索部１９ａは、ノードテーブル１６ａから他方のノードのレコードを検索した上で配電系統情報１７のカレントノードテーブル１７ａへ登録する（ステップＳ１１９）。さらに、検索部１９ａは、他方のノードを未探索のノードとして探索リストへ追加する（ステップＳ１２０）。【００９７】
また、ブランチが開閉器でない場合（ステップＳ１１７Ｎｏ）にも、検索部１９ａは、ノードテーブル１６ａから他方のノードのレコードを検索した上で配電系統情報１７のカレントノードテーブル１７ａへ登録する（ステップＳ１１９）。さらに、検索部１９ａは、他方のノードを未探索のノードとして探索リストへ追加する（ステップＳ１２０）。【００９８】
一方、他方のノードがブランクである場合もしくは開閉器がＯＦＦ状態である場合（ステップＳ１１６ＮｏまたはステップＳ１１８Ｎｏ）には、ステップＳ１２１の処理へ移行する。【００９９】
その後、検索部１９ａは、探索リストに登録されたブランチを全て探索したか否かを判定する（ステップＳ１２１）。このとき、探索リストに登録されたブランチが全て探索されていない場合（ステップＳ１２１Ｎｏ）には、未探索のブランチが選択された後（ステップＳ１１１）、ステップＳ１１２〜ステップＳ１２１までの処理が繰り返し実行される。【０１００】
そして、探索リストに登録されたブランチが全て探索されると（ステップＳ１２１Ｙｅｓ）、検索部１９ａは、探索リストに登録されたノードを全て探索したか否かを判定する（ステップＳ１２２）。このとき、探索リストに登録されたノードが全て探索されていない場合（ステップＳ１２２Ｎｏ）には、未探索のノードが選択された後（ステップＳ１０７）、ステップＳ１０８〜ステップＳ１２１までの処理が繰り返し実行される。【０１０１】
その後、探索リストに登録されたノードが全て探索されると（ステップＳ１２２Ｙｅｓ）、検索部１９ａは、探索リストに登録されたＳＳの位置ＩＤを全て探索したか否かを判定する（ステップＳ１２３）。このとき、探索リストに登録されたＳＳの位置ＩＤが全て探索されていない場合（ステップＳ１２３Ｎｏ）には、未探索のＳＳの位置ＩＤが選択された後（ステップＳ１０３）、ステップＳ１０４〜ステップＳ１２２までの処理が繰り返し実行される。【０１０２】
そして、探索リストに登録されたＳＳの位置ＩＤが全て探索された場合（ステップＳ１２３Ｙｅｓ）には、図２３に示すように、検索部１９ａは、ブランチテーブル１６ｂに記憶されたブランチのレコードと、カレントブランチテーブル１７ｂに記憶されたブランチのレコードとを突合する（ステップＳ１２４）。【０１０３】
ここで、ブランチテーブル１６ｂにカレントブランチテーブル１７ｂと一致しないブランチのレコードが存在する場合（ステップＳ１２５Ｙｅｓ）には、検索部１９ａは、当該ブランチのレコードに含まれる設備ＩＤの設備を停電箇所として検出し（ステップＳ１２６）、処理を終了する。一方、ブランチテーブル１６ｂにカレントブランチテーブル１７ｂと一致しないブランチのレコードが存在しない場合（ステップＳ１２５Ｎｏ）には、そのまま処理を終了する。【０１０４】
（２）配電系統画面の表示制御処理
図２４は、実施例１に係る配電系統画面の表示制御処理の手順を示すフローチャートである。この表示制御処理は、クライアント端末３０から配電系統画面の閲覧要求を受け付けた場合やクライアント端末３０から配電管理装置１０へのログイン処理等が成功した場合などに処理が実行される。【０１０５】
図２４に示すように、クライアント端末３０から配電系統画面の閲覧要求を受け付けると（ステップＳ２０１）、取得部１９ｃは、次のような処理を実行する。すなわち、取得部１９ｃは、記憶部１３に記憶された表示設定情報１８を取得するか、あるいはクライアント端末３０から受付画面を介して表示設定を入力させることによって表示設定を取得する（ステップＳ２０２）。【０１０６】
そして、表示制御部１９ｄは、ロケーションテーブル１４ａから地図の表示範囲に含まれる位置ＩＤを取得する（ステップＳ２０３）。そして、表示制御部１９ｄは、ユニットテーブル１５ａから地図の表示範囲内にある位置ＩＤを持つユニットのレコードを取得する（ステップＳ２０４）。さらに、表示制御部１９ｄは、スパンテーブル１５ｂから地図の表示範囲内にある位置ＩＤを持つスパンのレコードを取得する（ステップＳ２０５）。【０１０７】
続いて、表示制御部１９ｄは、ユニット及びスパンのレコードのうちブランチテーブル１６ｂに設備ＩＤが登録されているレコードを抽出する（ステップＳ２０６）。これによって、ユニット及びスパンの中でも現系統に含まれるユニット及びスパンが抽出されることになる。【０１０８】
ここで、地図の縮尺が「広域図」である場合（ステップＳ２０７Ｙｅｓ）には、表示制御部１９ｄは、次のような処理を実行する。すなわち、表示制御部１９ｄは、ステップＳ２０４やステップＳ２０５で取得されたユニット及びスパンのレコードに含まれる種別を参照して、高圧系統の設備を抽出する（ステップＳ２０８）。【０１０９】
続いて、表示制御部１９ｄは、ユニット及びスパンの位置ＩＤに対応する緯度及び経度等の位置情報を用いて、地図情報から切り出された表示範囲の地図画像に高圧系統の設備を配置することによって広域図の表示データを生成し（ステップＳ２０９）、処理を終了する。【０１１０】
一方、地図の縮尺が「詳細図」である場合（ステップＳ２０７Ｎｏ）には、表示制御部１９ｄは、ステップＳ２０４やステップＳ２０５で取得されたユニット及びスパンの位置ＩＤに対応する緯度及び経度等の位置情報を用いて、地図情報から切り出された表示範囲の地図画像に高圧系統及び低圧系統の設備を配置することによって詳細図の表示データを生成し（ステップＳ２１０）、処理を終了する。【０１１１】
（３）縮尺変更処理
図２５は、実施例１に係る縮尺変更処理の手順を示すフローチャートである。この縮尺変更処理は、例えば、広域図や詳細図等の配電系統画面が表示された状態で縮尺の切替えボタンの押下等の縮尺の変更要求が受け付けられた場合に処理が実行される。【０１１２】
図２５に示すように、詳細図から広域図へ縮尺を変更する要求である場合（ステップＳ５０１ＹｅｓかつステップＳ５０２Ｙｅｓ）には、表示制御部１９ｄは、次のような処理を実行する。すなわち、表示制御部１９ｄは、表示範囲の地図画像に高圧系統の設備を配置することによって広域図の表示データを再生成し（ステップＳ５０３）、処理を終了する。【０１１３】
一方、広域図から詳細図へ縮尺を変更する要求である場合（ステップＳ５０１ＮｏかつステップＳ５０４Ｙｅｓ）には、表示制御部１９ｄは、次のような処理を実行する。すなわち、表示制御部１９ｄは、表示範囲の地図画像に高圧系統及び低圧系統の設備を配置することによって詳細図の表示データを再生成し（ステップＳ５０５）、処理を終了する。【０１１４】
なお、詳細図および広域図の間の切り替りがない変更要求である場合（ステップＳ５０１ＹｅｓかつステップＳ５０２Ｎｏ、あるいはステップＳ５０１Ｎｏかつステップ５０４Ｎｏ）には、地図や設備の縮尺だけがなされて処理が終了される。【０１１５】
（４）第１の表示変更処理
図２６は、実施例１に係る第１の表示変更処理の手順を示すフローチャートである。この第１の表示変更処理は、例えば、詳細図が表示された状態で設備の指定が受け付けられた場合に処理が実行される。【０１１６】
図２６に示すように、詳細図の画面上で設備の指定を受け付けると（ステップＳ３０１）、表示制御部１９ｄは、指定の設備が低圧系統の設備であるか否かを判定する（ステップＳ３０２）。【０１１７】
このとき、詳細図の画面上で低圧系統の設備の指定を受け付けた場合（ステップＳ３０２Ｙｅｓ）には、表示制御部１９ｄは、当該指定を受け付けた位置に存在するブランチをブランチテーブル１６ｂから検索する（ステップＳ３０３）。そして、表示制御部１９ｄは、ブランチテーブル１６ｂから検索されたブランチを探索リストへ登録する（ステップＳ３０４）。【０１１８】
続いて、表示制御部１９ｄは、探索リストからブランチを１つ選択する（ステップＳ３０５）。さらに、表示制御部１９ｄは、当該ブランチが持つノードをブランチテーブル１６ｂから検索する（ステップＳ３０６）。その上で、表示制御部１９ｄは、ノードを探索リストへ登録する（ステップＳ３０７）。【０１１９】
そして、表示制御部１９ｄは、探索リストからノードを１つ選択する（ステップＳ３０８）。続いて、表示制御部１９ｄは、ブランチテーブル１６ｂからステップＳ３０８で選択が実行されたノードを持つブランチを検索する（ステップＳ３０９）。【０１２０】
ここで、表示制御部１９ｄは、ブランチテーブル１６ｂから検索されたブランチが低圧系統の設備であるか否かを判定する（ステップＳ３１０）。このとき、ブランチが低圧系統の設備である場合（ステップＳ３１０Ｙｅｓ）には、表示制御部１９ｄは、当該ブランチを表示変更リストへ登録する（ステップＳ３１１）。さらに、表示制御部１９ｄは、当該ブランチを探索リストへ登録する（ステップＳ３１２）。【０１２１】
一方、ブランチが低圧系統の設備でない場合（ステップＳ３１０Ｎｏ）には、ステップＳ３１１及びステップＳ３１２の処理をとばしてステップＳ３１３の処理へ移行する。【０１２２】
その後、表示制御部１９ｄは、探索リストに未登録のノードがなくなるまで（ステップＳ３１３Ｎｏ）、上記のステップＳ３０８〜ステップＳ３１２までの処理を繰り返し実行する。【０１２３】
そして、探索リストに未登録のノードがなくなると（ステップＳ３１３Ｙｅｓ）、表示制御部１９ｄは、探索リストに未探索のブランチがなくなるまで（ステップＳ３１４Ｎｏ）、上記のステップＳ３０５〜ステップＳ３１３までの処理を繰り返し実行する。【０１２４】
その後、探索リストに未探索のブランチがなくなると（ステップＳ３１４Ｙｅｓ）、表示制御部１９ｄは、表示変更リストに登録された低圧系統の設備の表示態様が他のブランチの表示態様と異なる表示態様に変更された配電系統画面の表示データを生成し（ステップＳ３１５）、処理を終了する。【０１２５】
（５）第２の表示変更処理
図２７は、実施例１に係る第２の表示変更処理の手順を示すフローチャートである。この第２の表示変更処理は、例えば、広域図が表示された状態で設備の指定が受け付けられた場合に処理が実行される。【０１２６】
図２７に示すように、広域図の画面上で設備の指定を受け付けると（ステップＳ４０１）、表示制御部１９ｄは、指定の設備が高圧系統の設備であるか否かを判定する（ステップＳ４０２）。【０１２７】
このとき、広域図の画面上で高圧系統の設備の指定を受け付けた場合（ステップＳ４０２Ｙｅｓ）には、表示制御部１９ｄは、当該指定を受け付けた位置に存在するブランチをブランチテーブル１６ｂから検索する（ステップＳ４０３）。【０１２８】
そして、表示制御部１９ｄは、ブランチテーブル１６ｂから検索されたブランチを探索リストへ登録する（ステップＳ４０４）。続いて、表示制御部１９ｄは、探索リストからブランチを１つ選択する（ステップＳ４０５）。さらに、表示制御部１９ｄは、当該ブランチが持つノードをブランチテーブル１６ｂから検索する（ステップＳ４０６）。そして、表示制御部１９ｄは、ノードを探索リストへ登録する（ステップＳ４０７）。【０１２９】
そして、表示制御部１９ｄは、探索リストからノードを１つ選択する（ステップＳ４０８）。続いて、表示制御部１９ｄは、ブランチテーブル１６ｂからステップＳ４０８で選択が実行されたノードを持つブランチを検索する（ステップＳ４０９）。【０１３０】
ここで、表示制御部１９ｄは、ブランチテーブル１６ｂから検索されたブランチが高圧系統の設備であるか否かを判定する（ステップＳ４１０）。このとき、ブランチが高圧系統の設備である場合（ステップＳ４１０Ｙｅｓ）には、表示制御部１９ｄは、当該ブランチを表示変更リストへ登録する（ステップＳ４１１）。さらに、表示制御部１９ｄは、当該ブランチを探索リストへ登録する（ステップＳ４１２）。【０１３１】
一方、ブランチが高圧系統の設備でない場合（ステップＳ４１０Ｎｏ）には、ステップＳ４１１〜ステップＳ４１２までの処理をとばしてステップＳ４１３の処理へ移行する。【０１３２】
その後、表示制御部１９ｄは、探索リストに未登録のノードがなくなるまで（ステップＳ４１３Ｎｏ）、上記のステップＳ４０８〜ステップＳ４１２までの処理を繰り返し実行する。【０１３３】
そして、探索リストに未登録のノードがなくなると（ステップＳ４１３Ｙｅｓ）、表示制御部１９ｄは、探索リストに未探索のブランチがなくなるまで（ステップＳ４１４Ｎｏ）、上記のステップＳ４０５〜ステップＳ４１３までの処理を繰り返し実行する。【０１３４】
その後、探索リストに未探索のブランチがなくなると（ステップＳ４１４Ｙｅｓ）、表示制御部１９ｄは、表示変更リストに登録された高圧系統の設備の表示態様が他のブランチの表示態様と異なる表示態様に変更された配電系統画面の表示データを生成し（ステップＳ４１５）、処理を終了する。【０１３５】
［実施例１の効果］
上述してきたように、本実施例に係る配電管理装置１０は、配電系統の設備に関する表示を行う場合に、画面の縮尺が小さい場合には高圧系統の設備を表示させ、画面の縮尺が大きい場合には配電系統全体の設備を表示させる。このため、縮尺が小さく設定されて表示される設備の量が多くなり、設備の記号や図形の表示サイズが小さくなる場合には、表示させる設備を高圧系統の設備に絞ることができる。また、縮尺が大きく設定されて設備の量が少なくなり、設備の記号や図形の表示サイズを大きくできる場合には、表示させる設備を配電系統全体に拡張できる。したがって、本実施例に係る配電管理装置１０によれば、配電系統で電気的に接続された設備の視認性を向上できる。
【実施例２】
【０１３６】
さて、これまで開示の装置に関する実施例について説明したが、本発明は上述した実施例以外にも、種々の異なる形態にて実施されてよいものである。そこで、以下では、本発明に含まれる他の実施例を説明する。【０１３７】
［分散および統合］
また、図示した各装置の各構成要素は、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、検索部１９ａ、対応付け部１９ｂ、取得部１９ｃまたは表示制御部１９ｄを配電管理装置１０の外部装置としてネットワーク経由で接続するようにしてもよい。また、検索部１９ａ、対応付け部１９ｂ、取得部１９ｃまたは表示制御部１９ｄを別の装置がそれぞれ有し、ネットワーク接続されて協働することで、上記の配電管理装置の機能を実現するようにしてもよい。【０１３８】
［表示制御プログラム］
また、上記の実施例で説明した各種の処理は、予め用意されたプログラムをパーソナルコンピュータやワークステーションなどのコンピュータで実行することによって実現することができる。そこで、以下では、図２８を用いて、上記の実施例と同様の機能を有する表示制御プログラムを実行するコンピュータの一例について説明する。【０１３９】
図２８は、実施例１及び実施例２に係る表示制御プログラムを実行するコンピュータの一例について説明するための図である。図２８に示すように、コンピュータ１００は、操作部１１０ａと、スピーカ１１０ｂと、カメラ１１０ｃと、ディスプレイ１２０と、通信部１３０とを有する。さらに、このコンピュータ１００は、ＣＰＵ１５０と、ＲＯＭ１６０と、ＨＤＤ１７０と、ＲＡＭ１８０とを有する。これら１１０〜１８０の各部はバス１４０を介して接続される。【０１４０】
ＨＤＤ１７０には、図２８に示すように、上記の実施例１で示した検索部１９ａと、対応付け部１９ｂと、取得部１９ｃと、表示制御部１９ｄと同様の機能を発揮する表示制御プログラム１７０ａが予め記憶される。この表示制御プログラム１７０ａについては、図１に示した各々の検索部１９ａと、対応付け部１９ｂと、取得部１９ｃと、表示制御部１９ｄとの各構成要素と同様、適宜統合又は分離しても良い。すなわち、ＨＤＤ１７０に格納される各データは、常に全てのデータがＨＤＤ１７０に格納される必要はなく、処理に必要なデータのみがＨＤＤ１７０に格納されれば良い。【０１４１】
そして、ＣＰＵ１５０が、表示制御プログラム１７０ａをＨＤＤ１７０から読み出してＲＡＭ１８０に展開する。これによって、図２８に示すように、表示制御プログラム１７０ａは、表示制御プロセス１８０ａとして機能する。この表示制御プロセス１８０ａは、ＨＤＤ１７０から読み出した各種データを適宜ＲＡＭ１８０上の自身に割り当てられた領域に展開し、この展開した各種データに基づいて各種処理を実行する。なお、表示制御プロセス１８０ａは、図１に示した検索部１９ａと、対応付け部１９ｂと、取得部１９ｃと、表示制御部１９ｄとにて実行される処理、例えば図２１〜図２７に示す処理を含む。また、ＣＰＵ１５０上で仮想的に実現される各処理部は、常に全ての処理部がＣＰＵ１５０上で動作する必要はなく、処理に必要な処理部のみが仮想的に実現されれば良い。【０１４２】
なお、上記の表示制御プログラム１７０ａについては、必ずしも最初からＨＤＤ１７０やＲＯＭ１６０に記憶させておく必要はない。例えば、コンピュータ１００に挿入されるフレキシブルディスク、いわゆるＦＤ、ＣＤ−ＲＯＭ、ＤＶＤディスク、光磁気ディスク、ＩＣカードなどの「可搬用の物理媒体」に各プログラムを記憶させる。そして、コンピュータ１００がこれらの可搬用の物理媒体から各プログラムを取得して実行するようにしてもよい。また、公衆回線、インターネット、ＬＡＮ、ＷＡＮなどを介してコンピュータ１００に接続される他のコンピュータまたはサーバ装置などに各プログラムを記憶させておき、コンピュータ１００がこれらから各プログラムを取得して実行するようにしてもよい。
【符号の説明】
【０１４３】
１０    配電管理装置
１１    通信Ｉ／Ｆ部
１３    記憶部
１４    位置情報
１４ａ  ロケーションテーブル
１５    設備情報
１５ａ  ユニットテーブル
１５ｂ  スパンテーブル
１６    電気接続情報
１６ａ  ノードテーブル
１６ｂ  ブランチテーブル
１７    配電系統情報
１７ａ  カレントノードテーブル
１７ｂ  カレントブランチテーブル
１８    表示設定情報
１９    制御部
１９ａ  検索部
１９ｂ  対応付け部
１９ｃ  取得部
１９ｄ  表示制御部
３０    クライアント端末
【図１】
2014054109.tif 000003
【図２】
2014054109.tif 000004
【図３】
2014054109.tif 000005
【図４】
2014054109.tif 000006
【図５】
2014054109.tif 000007
【図６】
2014054109.tif 000008
【図７】
2014054109.tif 000009
【図８】
2014054109.tif 000010
【図９】
2014054109.tif 000011
【図１０】
2014054109.tif 000012
【図１１】
2014054109.tif 000013
【図１２】
2014054109.tif 000014
【図１３】
2014054109.tif 000015
【図１４】
2014054109.tif 000016
【図１５】
2014054109.tif 000017
【図１６】
2014054109.tif 000018
【図１７】
2014054109.tif 000019
【図１８】
2014054109.tif 000020
【図１９】
2014054109.tif 000021
【図２０】
2014054109.tif 000022
【図２１】
2014054109.tif 000023
【図２２】
2014054109.tif 000024
【図２３】
2014054109.tif 000025
【図２４】
2014054109.tif 000026
【図２５】
2014054109.tif 000027
【図２６】
2014054109.tif 000028
【図２７】
2014054109.tif 000029
【図２８】
2014054109.tif 000030
【図２９】
2014054109.tif 000031
【図３０】
2014054109.tif 000032
【手続補正書】
【提出日】平成27年4月10日(2015.4.10)
【手続補正１】
【補正対象書類名】特許請求の範囲
【補正対象項目名】全文
【補正方法】変更
【補正の内容】
【特許請求の範囲】
【請求項１】
配電系統の設備が互いに電気的に接続する接続点の組合せと、前記接続点の組合せによって定まる設備とが対応付けられた電気接続情報を記憶する電気接続記憶部と、
前記電気接続情報を参照して、所定の接続点を起点とし、前記組合せに含まれる接続点のうち未探索の接続点を探索しながら当該組合せに対応する設備を検索する検索部と、
前記配電系統の表示における画面の縮尺を取得する取得部と、
前記縮尺が所定の度合い以下である場合には、前記検索の結果として得られた設備のうち所定の設備よりも変電所寄りの接続点を持つ設備を表示させ、前記縮尺が所定の度合いよりも大きい場合には、前記検索の結果として得られた設備を表示させる表示制御部と
を有することを特徴とする配電管理装置。
【請求項２】
前記表示制御部は、前記変電所寄りの接続点を持つ設備の表示中にいずれかの設備の指定を受け付けた場合に、当該設備が属する配電系統の設備の表示態様を他の配電系統の設備とは異なる表示態様に変更することを特徴とする請求項１に記載の配電管理装置。
【請求項３】
前記表示制御部は、前記検索の結果として得られた設備の表示中に所定の設備より需要家寄りの接続点を持つ設備の指定を受け付けた場合に、当該需要家寄りの接続点を持つ設備の表示態様を他の設備とは異なる表示態様に変更することを特徴とする請求項１に記載の配電管理装置。
【請求項４】
前記配電系統の設備と前記設備の位置とが対応付けられた位置情報を記憶する位置記憶部をさらに有し、
前記表示制御部は、前記位置情報を参照して、前記変電所寄りの接続点を持つ設備または前記検索の結果として得られた設備を表示させることを特徴とする請求項１に記載の配電管理装置。
【請求項５】
コンピュータが、
配電系統の設備が互いに電気的に接続する接続点の組合せと、前記接続点の組合せによって定まる設備とが対応付けられた電気接続情報を参照して、所定の接続点を起点とし、前記組合せに含まれる接続点のうち未探索の接続点を探索しながら当該組合せに対応する設備を検索し、
前記配電系統の表示における画面の縮尺を取得し、
前記縮尺が所定の度合い以下である場合には、前記検索の結果として得られた設備のうち所定の設備よりも変電所寄りの接続点を持つ設備を表示させ、前記縮尺が所定の度合いよりも大きい場合には、前記検索の結果として得られた設備を表示させる
処理を実行することを特徴とする表示制御方法。
【請求項６】
コンピュータに、
配電系統の設備が互いに電気的に接続する接続点の組合せと、前記接続点の組合せによって定まる設備とが対応付けられた電気接続情報を参照して、所定の接続点を起点とし、前記組合せに含まれる接続点のうち未探索の接続点を探索しながら当該組合せに対応する設備を検索し、
前記配電系統の表示における画面の縮尺を取得し、
前記縮尺が所定の度合い以下である場合には、前記検索の結果として得られた設備のうち所定の設備よりも変電所寄りの接続点を持つ設備を表示させ、前記縮尺が所定の度合いよりも大きい場合には、前記検索の結果として得られた設備を表示させる
処理を実行させることを特徴とする表示制御プログラム。
【国際調査報告】
2014054109.tif 000033
2014054109.tif 000034